(57)【要約】【課題】多値変調方式において、ビットエラー発生時のスループットを向上させる無線通信システム及び無線通信方法を提供すること。【解決手段】送信側のＰＨＳ端末１は、多値変調方式の処理機構を、複数のＢＰＳＫ変調器の合成として構成する変調部６１と、１つのデータフレームを、所定数のデータ列に分割し、当該分割された各データ列に誤り検出符号を付加して分割フレームを生成する分割処理部３１と、各分割フレームを、時系列に設けられた異なる論理スロットに対して割り付け、当該分割フレームのデータを複数のＢＰＳＫ変調器へ割り付ける割付処理部３２とを備え、受信側のＰＨＳ端末１は、送信された変調波を復調する復調部６２と、復調されたデータから分割フレームを復元する復元処理部３３と、誤り検出符号を用いて、誤りがないと判断された分割フレームのデータを結合し、データフレームを復元する結合処理部３４と、を備える。【選択図】図２
2012191319.tif 000002
【特許請求の範囲】
【請求項１】
多値変調方式により無線端末装置の間でデータ通信する無線通信システムであって、
送信側である第１の無線端末装置は、
前記多値変調方式の処理機構を、複数の２位相偏移変調器の合成として構成する変調部と、
前記多値変調方式における１つのデータフレームを、所定数のデータ列に分割し、当該分割された各データ列に誤り検出符号を付加して分割フレームを生成する分割処理部と、
前記分割処理部により生成された各分割フレームを、時系列に設けられた異なる論理スロットに対して割り付け、当該分割フレームのデータを前記複数の２位相偏移変調器へ割り付ける割付処理部と、を備え、
受信側である第２の無線端末装置は、
前記多値変調方式により送信された変調波を復調する復調部と、
前記復調部により復調されたデータから、前記分割フレームを復元する復元処理部と、
前記誤り検出符号を用いて、誤りがないと判断された前記分割フレームのデータを結合し、前記データフレームを復元する結合処理部と、を備える無線通信システム。
【請求項２】
前記分割処理部は、前記所定数のデータ列をデインタリーブするためのインデックスを、各データ列に付加して前記分割フレームを生成し、
前記結合処理部は、前記分割フレームに含まれる前記インデックスを用いて、前記データフレームを復元する請求項１に記載の無線通信システム。
【請求項３】
前記割付処理部は、通信状態に応じて、同一の前記分割フレームを、複数の論理スロットに対して重複して割り付ける請求項１又は請求項２に記載の無線通信システム。
【請求項４】
前記変調部は、通信状態に応じて、前記複数の２位相偏移変調器のうち、特定の変調器を停止し、前記多値変調方式の多値数を減少させる請求項１から請求項３のいずれか１項に記載の無線通信システム。
【請求項５】
前記分割処理部は、前記データフレームを、前記複数の２位相偏移変調器のうち、稼働中の変調器の数に分割し、前記分割フレームを生成する請求項１から請求項４のいずれか１項に記載の無線通信システム。
【請求項６】
多値変調方式により無線端末装置の間でデータ通信する無線通信方法であって、
送信側である第１の無線端末装置は、前記多値変調方式の処理機構を、複数の２位相偏移変調器の合成として構成する変調部を備え、前記第１の無線端末装置が、
前記多値変調方式における１つのデータフレームを、所定数のデータ列に分割し、当該分割された各データ列に誤り検出符号を付加して分割フレームを生成する分割処理ステップと、
前記分割処理ステップにおいて生成された各分割フレームを、時系列に設けられた異なる論理スロットに対して割り付け、当該分割フレームのデータを前記複数の２位相偏移変調器へ割り付ける割付処理ステップと、を含み、
受信側である第２の無線端末装置は、前記多値変調方式により送信された変調波を復調する復調部を備え、前記第２の無線端末装置が、
前記復調部により復調されたデータから、前記分割フレームを復元する復元処理ステップと、
前記誤り検出符号を用いて、誤りがないと判断された前記分割フレームのデータを結合し、前記データフレームを復元する結合処理ステップと、を含む無線通信方法。
【発明の詳細な説明】
【技術分野】
【０００１】
本発明は、多値変調方式を用いる無線通信システム及び無線通信方法に関する。
【背景技術】
【０００２】
従来、無線通信システムにおいて、単位時間あたりの送受信データ量を増加させるため、多値変調方式が採用されている。例えば、ＱＰＳＫ、１６ＱＡＭ、６４ＱＡＭと多値数が増加するほど、単位時間に送信可能な情報量が増加する。
【０００３】
ところが、多値変調方式では、多値数が増加するほどＩＱ平面における符号間距離が小さくなるため、通信状態によっては、ノイズの影響を受けてビットエラーが発生しやすくなる。つまり、フェージングの影響により、受信電力が刻々と変動する無線通信システムでは、バースト誤りが発生しやすい。
【０００４】
通常、ビットエラーは、データフレーム毎に付加される誤り検出符号により、データフレーム単位で検出される。したがって、無線端末装置がビットエラーを検出した場合、正常なビットも含めてデータフレーム単位で再送処理が行われるため、データ通信のスループットが大きく低下していた。このような状況において、バースト誤りに対して訂正能力を高めた符号化変調装置が提案されている（例えば、特許文献１参照）。
【先行技術文献】
【特許文献】
【０００５】
【特許文献１】特開平９−９３２９５号公報
【発明の概要】
【発明が解決しようとする課題】
【０００６】
しかしながら、特許文献１の方法によっても、再送処理の効率化はされないため、誤りが訂正されなかった場合には、スループットの向上は期待できなかった。
【０００７】
本発明は、多値変調方式において、ビットエラー発生時のスループットを向上させる無線通信システム及び無線通信方法を提供することを目的とする。
【課題を解決するための手段】
【０００８】
本発明に係る無線通信システムは、多値変調方式により無線端末装置の間でデータ通信する無線通信システムであって、送信側である第１の無線端末装置は、前記多値変調方式の処理機構を、複数の２位相偏移変調器の合成として構成する変調部と、前記多値変調方式における１つのデータフレームを、所定数のデータ列に分割し、当該分割された各データ列に誤り検出符号を付加して分割フレームを生成する分割処理部と、前記分割処理部により生成された各分割フレームを、時系列に設けられた異なる論理スロットに対して割り付け、当該分割フレームのデータを前記複数の２位相偏移変調器へ割り付ける割付処理部と、を備え、受信側である第２の無線端末装置は、前記多値変調方式により送信された変調波を復調する復調部と、前記復調部により復調されたデータから、前記分割フレームを復元する復元処理部と、前記誤り検出符号を用いて、誤りがないと判断された前記分割フレームのデータを結合し、前記データフレームを復元する結合処理部と、を備える。
【０００９】
また、前記分割処理部は、前記所定数のデータ列をデインタリーブするためのインデックスを、各データ列に付加して前記分割フレームを生成し、前記結合処理部は、前記分割フレームに含まれる前記インデックスを用いて、前記データフレームを復元することが好ましい。
【００１０】
また、前記割付処理部は、通信状態に応じて、同一の前記分割フレームを、複数の論理スロットに対して重複して割り付けることが好ましい。
【００１１】
また、前記変調部は、通信状態に応じて、前記複数の２位相偏移変調器のうち、特定の変調器を停止し、前記多値変調方式の多値数を減少させることが好ましい。
【００１２】
また、前記分割処理部は、前記データフレームを、前記複数の２位相偏移変調器のうち、稼働中の変調器の数に分割し、前記分割フレームを生成することが好ましい。
【００１３】
本発明に係る無線通信方法は、多値変調方式により無線端末装置の間でデータ通信する無線通信方法であって、送信側である第１の無線端末装置は、前記多値変調方式の処理機構を、複数の２位相偏移変調器の合成として構成する変調部を備え、前記第１の無線端末装置が、前記多値変調方式における１つのデータフレームを、所定数のデータ列に分割し、当該分割された各データ列に誤り検出符号を付加して分割フレームを生成する分割処理ステップと、前記分割処理ステップにおいて生成された各分割フレームを、時系列に設けられた異なる論理スロットに対して割り付け、当該分割フレームのデータを前記複数の２位相偏移変調器へ割り付ける割付処理ステップと、を含み、受信側である第２の無線端末装置は、前記多値変調方式により送信された変調波を復調する復調部を備え、前記第２の無線端末装置が、前記復調部により復調されたデータから、前記分割フレームを復元する復元処理ステップと、前記誤り検出符号を用いて、誤りがないと判断された前記分割フレームのデータを結合し、前記データフレームを復元する結合処理ステップと、を含む。
【発明の効果】
【００１４】
本発明によれば、多値変調方式を用いる無線通信システムにおいて、ビットエラー発生時のスループットを向上できる。
【図面の簡単な説明】
【００１５】
【図１】本発明の実施形態に係るＰＨＳ端末の外観斜視図である。
【図２】本発明の実施形態に係るＰＨＳ端末の機能を示すブロック図である。
【図３】本発明の実施形態に係る６４ＱＡＭのシンボルポイントをＱＰＳＫのシンボルポイントの重ね合わせにより構成した場合を示す図である。
【図４】本発明の実施形態に係る多値変調方式の処理機構を、ＱＰＳＫの変調器の多段接続によって構成した場合のブロック図である。
【図５】本発明の実施形態に係る多値変調方式の処理機構を、ＢＰＳＫの変調器の多段接続によって構成した場合のブロック図である。
【図６】本発明の実施形態に係る分割フレームの構成を示す図である。
【図７】本発明の実施形態に係る論理スロット、物理スロット及び分割データの対応関係を示す図である。
【図８】本発明の実施形態に係るＰＨＳ端末がデータフレームを送信する処理を示すフローチャートである。
【図９】本発明の実施形態に係るＰＨＳ端末がデータフレームを受信する処理を示すフローチャートである。
【発明を実施するための形態】
【００１６】
以下、本発明の好適な実施形態の一例について説明する。なお、本実施形態では、無線通信システムを構成する無線端末装置の一例としてＰＨＳ（登録商標；Ｐｅｒｓｏｎａｌ  Ｈａｎｄｙ  ｐｈｏｎｅ  Ｓｙｓｔｅｍ）端末１を説明する。
【００１７】
図１は、本実施形態に係るＰＨＳ端末１の外観斜視図である。
なお、図１は、いわゆる折り畳み型の端末の形態を示しているが、本発明に係るＰＨＳ端末１の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００１８】
ＰＨＳ端末１は、操作部側筐体２と、表示部側筐体３と、を備えて構成される。操作部側筐体２は、表面部１０に、操作部１１と、ＰＨＳ端末１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００１９】
また、表示部側筐体３は、表面部２０に、各種情報を表示するための表示部２１と、通話の相手側の音声を出力するレシーバ２２と、を備えて構成されている。
【００２０】
また、操作部側筐体２の上端部と表示部側筐体３の下端部とは、ヒンジ機構４を介して連結されている。また、ＰＨＳ端末１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２１】
図２は、本実施形態に係るＰＨＳ端末１の機能を示すブロック図である。
ＰＨＳ端末１は、操作部１１と、表示部２１と、制御部３０と、音声制御部４０と、記憶部５０と、通信部６０とを備える。
【００２２】
制御部３０は、ＰＨＳ端末１の全体を制御しており、例えば、表示部２１や通信部６０等の各部に対して所定の制御を行う。また、制御部３０は、操作部１１や通信部６０等から入力を受け付けて、各種処理を実行する。そして、制御部３０は、処理実行の際には、記憶部５０を制御し、各種プログラム及びデータの読み出し、及びデータの書き込みを行う。なお、本実施形態に係る制御部３０の詳細機能は後述する。
【００２３】
音声制御部４０は、制御部３０の制御に従って、通信部６０から供給された信号に対して所定の音声処理を行い、処理後の信号をレシーバ２２に出力する。レシーバ２２は、音声制御部４０から供給された信号を外部に出力する。なお、この信号は、レシーバ２２に代えて、又はレシーバ２２と共に、スピーカ（図示せず）から出力されるとしてもよい。また、音声制御部４０は、制御部３０の制御に従って、マイク１２から入力された信号を処理し、処理後の信号を通信部６０に出力する。通信部６０は、音声制御部４０から供給された信号に所定の処理を行い、処理後の信号をアンテナ７０より出力する。
【００２４】
記憶部５０は、例えば、ワーキングメモリを含み、制御部３０による演算処理に利用される。また、本実施形態に係る各種プログラム及びデータ等を記憶する。
【００２５】
通信部６０は、所定の使用周波数帯（例えば、１．９ＧＨｚ帯）で外部装置（基地局）と通信を行う。そして、通信部６０は、制御部３０から供給された信号を、変調部６１により変調処理し、アンテナ７０から外部装置に送信する。また、通信部６０は、アンテナ７０より受信した信号を、復調部６２により復調処理し、処理後の信号を制御部３０に供給する。
【００２６】
以下、ＰＨＳ端末１の変調方式が６４ＱＡＭであるとして説明する。
変調部６１は、多値変調方式（６４ＱＡＭ）の処理機構を、２位相偏移変調方式（ＢＰＳＫ）による複数の変調器の合成として構成される。
【００２７】
まず、多値変調方式のビット割り当ては、ＱＰＳＫのビット割り当ての重ね合わせにより構成できる。
図３は、ＩＱ平面において、６４ＱＡＭのシンボルポイントをＱＰＳＫのシンボルポイントの重ね合わせにより構成した場合を示す図である。
【００２８】
ＱＰＳＫのシンボルポイントそれぞれに対して、振幅を２分の１にしたＱＰＳＫのシンボルポイントを重ね合わせることにより、１６ＱＡＭのシンボルポイントが構成される。また、この１６ＱＡＭのシンボルポイントのそれぞれに対して、さらに振幅を２分の１にしたＱＰＳＫのシンボルポイントを重ね合わせることにより、６４ＱＡＭのシンボルポイントが構成される。
【００２９】
図４は、多値変調方式の処理機構を、ＱＰＳＫの変調器の多段接続によって構成した場合のブロック図である。
ｎ段の物理スロットから、それぞれＱＰＳＫの変調器へ入力された信号の変調波が振幅を変えて合成される。ここで、６４ＱＡＭの変調波を出力する場合は、物理スロットは３段（ｎ＝３）となる。
【００３０】
次に、ＱＰＳＫの変調器は、２つのＢＰＳＫの変調器を用いて構成できる。
図５は、多値変調方式の処理機構を、ＢＰＳＫの変調器の多段接続によって構成した場合のブロック図である。
【００３１】
図４の物理スロット１は、物理スロット１−１及び１−２に分割され、物理スロットｎは、物理スロットｎ−１及びｎ−２に分割される。そして、多値変調方式の変調波を出力する場合は、同じ振幅の物理スロットには、互いに直行する搬送波ｃｏｓ（ωｔ）又はｓｉｎ（ωｔ）が掛けられて合成される。ここで、６４ＱＡＭの変調波を出力する場合は、物理スロットは６段（ｎ＝３）となる。
【００３２】
なお、変調部６１は、多値変調方式における多値数の最大数（＝６４）に対応したＢＰＳＫの物理スロット（ｎ＝３）が設けられている。そして、変調部６１は、通信状態に応じて、これら複数のＢＰＳＫ変調器のうち、特定の変調器を停止して多値数を減少させる。例えば、物理スロット３−１及び３−２を停止し、物理スロット数が４個になると、１６ＱＡＭが実現される。
【００３３】
次に制御部３０の機能を詳述する。
制御部３０は、分割処理部３１と、割付処理部３２と、復元処理部３３と、結合処理部３４とを備える。ＰＨＳ端末１は、データフレームの送信側である第１の無線端末装置となった場合、分割処理部３１及び割付処理部３２により生成されたデータを、変調部６１により多値変調処理して送信する。また、ＰＨＳ端末１は、データフレームの受信側である第２の無線端末装置となった場合、受信した変調波が復調部６２により復調されたデータから、復元処理部３３及び結合処理部３４によりデータフレームを復元する。
【００３４】
分割処理部３１は、多値変調方式における１つのデータフレームを、所定数のデータ列に分割し、この分割された各データ列に誤り検出符号（ＣＲＣデータ）を付加して分割フレームを生成する。なお、分割されるデータ列は、ＢＰＳＫのデータフレーム長であることが好ましい。多値数が変更された場合にも、物理スロットの数、すなわち複数のＢＰＳＫ変調器のうち、稼働中の変調器の数にデータフレームを分割することで、分割フレームの容量は変わらず、処理内容を共通化できる。
【００３５】
また、このとき、分割処理部３１は、分割されたデータ列を受信側のＰＨＳ端末１においてデインタリーブするためのインデックスを、各データ列に付加して分割フレームを生成する。
【００３６】
図６は、本実施形態に係る分割フレームの構成を示す図である。
６４ＱＡＭのデータフレームは、ＢＰＳＫ変調器の数と等しい６個の分割フレームに分割される。すなわち、６４ＱＡＭに対応している送信側のＰＨＳ端末１は、ＢＰＳＫの６スロット分のデータを同時に伝送可能である。
【００３７】
割付処理部３２は、分割処理部３１により生成された各分割フレームを、時系列に設けられた異なる論理スロットに対して割り付け、さらに、この分割フレームのデータをＢＰＳＫ変調器の物理スロットへ割り付ける。
【００３８】
図７は、本実施形態に係る論理スロット、物理スロット及び分割データの対応関係を示す図である。
６個の分割データは、時分割された６個の論理スロットに対して順に割り付けられている。そして、各論理スロットの分割データは、さらに、ＢＰＳＫ変調器に対応する６個の物理スロットに対して割り付けられ、変調部６１により変調処理される。
【００３９】
また、割付処理部３２は、通信状態に応じて、同一の分割フレームを、複数の論理スロットに対して重複して割り付ける。すなわち、フェージングが発生する通信環境においては、同じインデックスの分割フレームが複数回送信されることにより、最初の論理スロットでビットエラーが発生した場合にも、後続の論理スロットで正常に受信される可能性が高まる。
【００４０】
さらに、弱電界の環境では、ビットエラーが頻発することが考えられるため、変調の多値数を減少させることが好ましい。このように、通信状態に応じて、多値数の変更と分割フレームの多重化とを切り替えることにより、無線通信システムにおける実効スループットの向上が期待できる。
【００４１】
復元処理部３３は、復調部６２により復調されたデータ（ビット列）を再配置し、分割処理部３１により生成された分割フレームを復元する。
【００４２】
結合処理部３４は、分割フレームに含まれているＣＲＣデータを用いて、誤りがないと判断された分割フレームのデータを、同じく分割フレームに含まれているインデックスを用いて結合し、データフレームを復元する。
【００４３】
図８は、本実施形態に係るＰＨＳ端末１がデータフレームを送信する処理を示すフローチャートである。
【００４４】
ステップＳ１において、制御部３０は、アプリケーションの処理により送信データが発生したことに応じて、多値変調方式に適応したデータフレームを生成する。
【００４５】
ステップＳ２において、制御部３０（分割処理部３１）は、ステップＳ１で生成されたデータフレームを物理スロットの数に分割し、分割フレームを生成する。
【００４６】
ステップＳ３において、制御部３０（割付処理部３２）は、ステップＳ２で生成された分割フレームを、論理スロットへ割り付け、さらに、論理スロット内のデータを物理スロットへ割り付ける。
【００４７】
ステップＳ４において、制御部３０は、ステップＳ３で割り付けられたデータを変調部６１へ入力し、データ送信を実行する。
【００４８】
ステップＳ５において、制御部３０は、受信側のＰＨＳ端末１から分割フレームの再送要求（図９のステップＳ１４）があるか否かを判定する。この判定がＹＥＳの場合、処理はステップＳ３に戻り、判定がＮＯの場合、処理は終了する。
【００４９】
図９は、本実施形態に係るＰＨＳ端末１がデータフレームを受信する処理を示すフローチャートである。
【００５０】
ステップＳ１１において、制御部３０は、復調部６２を制御し、受信した変調波を復調してデータ列を取得する。
【００５１】
ステップＳ１２において、制御部３０（復元処理部３３）は、ステップＳ１１で取得されたデータ列を再構成して、送信側で生成された分割フレームを復元する。
【００５２】
ステップＳ１３において、制御部３０（結合処理部３４）は、ステップＳ１２で復元された分割フレーム内のＣＲＣデータを用いて、ビットエラーが存在するか否かを判定する。この判定がＹＥＳの場合、処理はステップＳ１４に移り、判定がＮＯの場合、処理はステップＳ１５に移る。
【００５３】
ステップＳ１４において、制御部３０（結合処理部３４）は、分割フレームを取得できなかったので、送信側へ再送要求を行い、処理をステップＳ１１に移す。
【００５４】
ステップＳ１５において、制御部３０（結合処理部３４）は、送信側で生成された分割フレームが全て取得できたか否かを判定する。この判定がＹＥＳの場合、処理はステップＳ１６に移り、判定がＮＯの場合、処理はステップＳ１１に移る。
【００５５】
ステップＳ１６において、制御部３０（結合処理部３４）は、デインタリーブ用のインデックスを用いて分割フレームを結合し、送信側で生成されたデータフレームを復元する。
【００５６】
以上のように、本実施形態によれば、ＰＨＳ端末１は、多値変調方式のデータフレームを容易に分割できる。したがって、受信側のＰＨＳ端末１は、バースト誤りが発生した場合にも、データフレーム内で、ビットエラーの発生した分割フレームを切り分けることができるため、データフレーム全体ではなく分割フレームを再送要求すればよい。その結果、多値変調方式を用いる無線通信システムにおいて、ビットエラー発生時のスループットの低下を抑制でき、実効スループットを向上できる。
【００５７】
また、ＰＨＳ端末１において、データフレームは、ＢＰＳＫの変調器の数に分割し、分割フレームは、多値変調方式の多値数によらずＢＰＳＫの伝送フレームサイズとした。その結果、多値数によらず、分割処理及び割り付け処理を共通化できるため、実装が容易になる。これにより、処理速度の改善、信頼性の向上、記憶容量の低減が期待できる。
【００５８】
また、分割フレームには、デインタリーブ用のインデックスが含まれるので、受信側のＰＨＳ端末１は、容易にデータフレームが復元できる。
【００５９】
また、ＰＨＳ端末１は、通信状態に応じて、特に、フェージングの発生する環境においては、同一の分割フレームを複数の論理スロットに対して重複して割り付ける。したがって、受信側のＰＨＳ端末１は、一部の分割フレームでビットエラーが発生した場合にも、再送要求することなく正常な分割フレームを受信できる可能性が高まるので、実効スループットの向上が期待できる。
【００６０】
また、ＰＨＳ端末１は、通信状態に応じて、特に、弱電界環境においては、特定のＢＰＳＫ変調器を停止して多値変調方式の多値数を減少させる。したがって、分割フレームを重複させる方法によっても再送要求が多く発生する場合に、ノイズの影響を受け難い変調方式へ変更できるので、実効スループットの向上が期待できる。さらに、ＰＨＳ端末１は、これらの方法を切り替えられるので、通信状態に応じて、適切なデータ伝送方式を用いることができる。
【００６１】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００６２】
また、本発明に係る無線端末装置は、ＰＨＳ端末１には限られない。本発明は、携帯電話機、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【符号の説明】
【００６３】
１  ＰＨＳ端末（無線端末装置）
１１  操作部
２１  表示部
３０  制御部
３１  分割処理部
３２  割付処理部
３３  復元処理部
３４  結合処理部
４０  音声制御部
５０  記憶部
６０  通信部
６１  変調部
６２  復調部
７０  アンテナ
【図１】
2012191319.tif 000003
【図２】
2012191319.tif 000004
【図３】
2012191319.tif 000005
【図４】
2012191319.tif 000006
【図５】
2012191319.tif 000007
【図６】
2012191319.tif 000008
【図７】
2012191319.tif 000009
【図８】
2012191319.tif 000010
【図９】
2012191319.tif 000011